(57)【要約】【課題】カメラ装置を、比較的少ない部品で容易に取付作業を行うことができる上、外観上視認される構成部分のコンパクト化を図ることができ、さらに、取外し作業を容易に行える技術を提供すること。【解決手段】エスカッション部材２０の外嵌筒部２４の内周部に係合凸部２６が形成されると共に、カメラ装置３０の内嵌外周部分３２に略Ｌ字状溝状に形成された被係合凹部３３が形成される。外嵌筒部２４を内嵌外周部分３２に外嵌めした状態で、エスカッション部材２０とカメラ装置３０とを相対的に回転させることで、係合凸部２６と被係合凹部３３との係脱が行われる。【選択図】図１
2005193842.tif 000002
【特許請求の範囲】
【請求項１】
取付孔が形成された車両の被取付部に、監視部品を取付けるための監視部品取付部構造であって、
前記取付孔の周縁部に前記被取付部の一方面側より係止可能な取付孔係止部を有する取付部材と、
前記被取付部の他方面側に配設される監視部品と、
前記監視部品を前記被取付部の他方面から離間する方向に付勢する付勢部材と、
を備え、
前記取付部材と前記監視部品のうち一方側に係合凸部が設けられると共に、他方側に被係合凹部が設けられ、
前記係合凸部前記被係合凹部とは、前記取付部材と前記監視部品との相対的な回転に応じて、前記取付孔係止部を前記取付孔の周縁部に係止させた状態で、前記取付孔を通じて係合し或は係合解除する、監視部品取付部構造。
【請求項２】
請求項１記載の監視部品取付部構造であって、
前記取付部材と前記監視部品のうちの一方側が、円柱周面状の内嵌外周部分を有すると共に、前記取付部材と前記監視部品のうちの他方側が前記内嵌外周部分に外嵌め可能な外嵌筒部分を備え、
前記内嵌外周部分の外周部と前記外嵌筒部分の内周部のうちの一方側に係合凸部が設けられると共に、
前記内嵌外周部分の外周部と前記外嵌筒部分の内周部のうちの他方側に、前記外嵌筒部分を前記内嵌外周部分に外嵌めした状態で、前記取付部材と前記監視部品とを相対的に所定方向に回転させることにより、前記係合凸部と係合可能で、前記所定方向とは逆方向に回転させることにより、前記係合凸部との係合が解除可能な被係合凹部が設けられた、監視部品取付部構造。
【請求項３】
請求項２記載の監視部品取付部構造であって、
前記被係合凹部は、前記内嵌外周部分の軸方向に沿って延びる挿通溝部と、前記内嵌外周部分の周方向に沿って延びる係合溝部とが略Ｌ字状に連設された溝状に形成されると共に、前記前記係合溝部の先端部に、前記係合凸部が嵌まり込む嵌込凹部が形成され、
前記付勢部材が前記監視部品を前記被取付部の他方面から離間する方向に付勢する付勢力により、前記係合凸部が前記嵌込凹部に嵌まり込む状態に保持される、監視部品取付部構造。
【請求項４】
請求項１〜請求項３記載のいずれかに記載の監視部品取付部構造であって、
前記取付部材に、前記取付孔に回り止状態で嵌め込まれる回り止部が設けられた、監視部品取付部構造。
【請求項５】
請求項１〜請求項４のいずれかに記載の監視部品取付部構造であって、
前記付勢部材は、前記監視部品と前記被取付部の他方面との間に介在して、前記監視部品を付勢する部材であり、
前記監視部品に、前記付勢部材が前記監視部品と前記被取付部の他方面との間に介在配置可能なように、前記付勢部材を保持する付勢部材保持部材が形成された、監視部品取付部構造。
【請求項６】
請求項１〜請求項５のいずれかに記載の監視部品取付部構造であって、
前記付勢手段は、前記監視部品と前記被取付部の他方面との間に介在する波形座金である監視部品取付部構造。
【発明の詳細な説明】
【技術分野】
【０００１】
この発明は、カメラ装置やセンサ等の監視部品を車両に取付けるための技術に関する。
【背景技術】
【０００２】
自動車のバンパーは、自動車の外観を装う外装部品であるため、該バンパーに部品取付用のねじボスを設けることは避けられている。これは、例えば、ねじボスをバンパーの内側に設けた場合であっても、バンパーの外側にいわゆる”ひけ”が生じてしまい、意匠性を損ってしまうからである。
【０００３】
このため、カメラ装置、ソナー等のセンサ類をバンパーに取付けるにあたっては、ねじをバンパー側に螺合させる必要のない構造を採用するのが一般的である。
【０００４】
この種の取付構造として、例えば、バンパーに形成された孔にエスカッションを挿入配置し、このエスカッション及びカメラ固定テープを用いて、バンパーの内側にアングルを固定し、さらに、該アングルにねじを用いてカメラ装置を固定した構成が考えられる。
【０００５】
また、他の取付構造として、バンパーに貫通した取付孔に、センサのうち大径な頭部部分を残して小径な挿入部分（本体部分）を挿入し、挿入部分に形成した係止溝に、固定具に形成した二股状の係止脚を挿入して、センサを固定する構造がある。
【発明の開示】
【発明が解決しようとする課題】
【０００６】
しかしながら、前者の取付構造では、多数の部品を必要とする上、取付作業性も悪く、コストアップの要因となる。
【０００７】
また、後者の取付構造では、取付孔の外側から取付対象部品の本体部分を挿入して頭部部分を取付孔の外周部外側に係止させる構成であるため、取付対象となる部品の本体部分が大きい場合には、バンパーに形成する取付孔を大きくする必要があるし、また、これに伴い取付対象部品の頭部部分も取付孔以上に大きくする必要がある。このため、外観上視認される取付構造が大型化し、意匠上好ましくない。
【０００８】
さらに、カメラ装置をバンパーに取付けた後には、メンテナンス等の事情に応じて、該カメラ装置を簡易に取外せることが好ましい。
【０００９】
そこで、この発明の課題は、監視部品を、比較的少ない部品で容易に取付作業を行うことができる上、外観上視認される構成部分のコンパクト化を図ることができ、さらに、取外し作業を容易に行える技術を提供することにある。
【課題を解決するための手段】
【００１０】
上記課題を解決するため、この発明は、取付孔が形成された車両の被取付部に、監視部品を取付けるための監視部品取付部構造であって、前記取付孔の周縁部に前記被取付部の一方面側より係止可能な取付孔係止部を有する取付部材と、前記被取付部の他方面側に配設される監視部品と、前記監視部品を前記被取付部の他方面から離間する方向に付勢する付勢部材と、を備え、前記取付部材と前記監視部品のうち一方側に係合凸部が設けられると共に、他方側に被係合凹部が設けられ、前記係合凸部前記被係合凹部とは、前記取付部材と前記監視部品との相対的な回転に応じて、前記取付孔係止部を前記取付孔の周縁部に係止させた状態で、前記取付孔を通じて係合し或は係合解除するものである。
【００１１】
なお、前記取付部材と前記監視部品のうちの一方側が、円柱周面状の内嵌外周部分を有すると共に、前記取付部材と前記監視部品のうちの他方側が前記内嵌外周部分に外嵌め可能な外嵌筒部分を備え、前記内嵌外周部分の外周部と前記外嵌筒部分の内周部のうちの一方側に係合凸部が設けられると共に、前記内嵌外周部分の外周部と前記外嵌筒部分の内周部のうちの他方側に、前記外嵌筒部分を前記内嵌外周部分に外嵌めした状態で、前記取付部材と前記監視部品とを相対的に所定方向に回転させることにより、前記係合凸部と係合可能で、前記所定方向とは逆方向に回転させることにより、前記係合凸部との係合が解除可能な被係合凹部が設けられたものであってもよい。
【００１２】
また、前記被係合凹部は、前記内嵌外周部分の軸方向に沿って延びる挿通溝部と、前記内嵌外周部分の周方向に沿って延びる係合溝部とが略Ｌ字状に連設された溝状に形成されると共に、前記前記係合溝部の先端部に、前記係合凸部が嵌まり込む嵌込凹部が形成され、前記付勢部材が前記監視部品を前記被取付部の他方面から離間する方向に付勢する付勢力により、前記係合凸部が前記嵌込凹部に嵌まり込む状態に保持されるものであってもよい。
【００１３】
さらに、前記取付部材に、前記取付孔に回り止状態で嵌め込まれる回り止部が設けられていてもよい。
【００１４】
また、前記付勢部材は、前記監視部品と前記被取付部の他方面との間に介在して、前記監視部品を付勢する部材であり、前記監視部品に、前記付勢部材が前記監視部品と前記被取付部の他方面との間に介在配置可能なように、前記付勢部材を保持する付勢部材保持部材が形成されていてもうよい。
【００１５】
さらに、前記付勢手段は、前記監視部品と前記被取付部の他方面との間に介在する波形座金であってもよい。
【発明の効果】
【００１６】
この発明に係る監視部品取付部構造によると、取付部材の取付孔係止部を取付孔の周縁部に係止させると共に、その係合部と監視部品側の被係合部とを係合させ、さらに、付勢部材により監視部品を被取付部の他方面より離間する方向に付勢することで、監視部品を取付けることができるため、比較的少ない部品で容易に取付作業を行うことができる。
【００１７】
また、取付作業を行う際に、監視部品の本体部分を取付孔に挿通させる必要はないので、取付孔を比較的小さくし、これに合わせて取付部材を比較的小さくすることができ、外観上視認される構成部分のコンパクト化を図ることができる。
【００１８】
さらに、取付部材と監視部品との相対的な回転に応じて、係合凸部と被係合凹部とを係合し或は係合解除することができるため、取外し作業を容易に行える。
【００１９】
また、前記内嵌外周部分の外周部と前記外嵌筒部分の内周部のうちの一方側に係合凸部が設けられると共に、他方側に被係合凹部が設けられたものにあっては、外嵌筒部分を内嵌外周部分に外嵌めした状態で、取付部材と監視部品とを相対的に回転させることにより、前記係合凸部と前記被係合凹部との係合又はその係合解除がなされるため、それらの係合及び係合解除作業を正確かつ容易に行える。
【００２０】
さらに、被係合凹部は、前記内嵌外周部分の軸方向に沿って延びる挿通溝部と、前記内嵌外周部分の周方向に沿って延びる係合溝部とが略Ｌ字状に連設された溝状に形成されると共に、前記前記係合溝部の先端部に、前記係合凸部が嵌まり込む嵌込凹部が形成されているため、係合凸部が嵌込凹部に嵌まり込むと共に、この嵌まり込み状態が付勢部材の付勢力により保持されるため、係合凸部と被係合凹部との係合状態がより確実に保持される。
【００２１】
さらに、取付部材に、取付孔に回り止状態で嵌め込まれる回り止部が設けられると、取付部材の回転を防止できる。
【００２２】
また、監視部品に、付勢部材を保持する付勢部材保持部材が形成されていると、監視部品の組付途中に付勢部材が脱落等することなく便利である。
【００２３】
また、付勢手段として波形座金を用いることで、低コスト化を図ることができる。
【発明を実施するための最良の形態】
【００２４】
以下、この発明の実施形態に係るカメラ取付部構造について説明する。
【００２５】
図１はカメラ取付部構造を示す分解斜視図であり、図２はカメラ取付部構造を示す一部破断斜視図であり、図３はカメラ取付部構造を図２とは異なる方向からみた分解斜視図であり、図４はカメラ取付部構造を被取付板１０に取付けた状態を示す一部断面側面図である。なお、図３ではリテーナ部材の図示は省略されている。
【００２６】
ここでは、車両のバンパー等の被取付板１０に、車両周辺を撮像するためのカメラ装置を取付ける構成について説明するが、対象物までの距離を測定する超音波センサ等、一部を外部に露出させた状態で取付けられる諸監視部品の取付に適用できる。
【００２７】
カメラ取付部構造は、取付部材としてのエスカッション部材２０と、監視部品としてのカメラ装置３０と、付勢部材としてのリテーナ部材４０とを備えている。
【００２８】
ここで、被取付板１０には、矩形状の４隅を斜辺状に形成した形状を持つ取付孔１１が形成されている（図２〜図４参照）。なお、取付孔１１は、それに嵌め込まれた部材を回り止できる形状、即ち、単なる矩形状や多角形状等、非円形状であればよい。かかる被取付板１０の取付孔１１部分に、本カメラ取付部構造が組付けられる。
【００２９】
エスカッション部材２０は、樹脂等により形成された部材であり、円板状の取付孔係止部２２と、この取付孔係止部２２の一方面側に突設された外嵌筒部２４と、外嵌筒部２４に形成された係合凸部２６と、円板状の取付孔係止部２２の一方面側に突設された回り止部２８とを備えている。
【００３０】
取付孔係止部２２は、取付孔１１よりも大きな広がりを持つ円板形状に形成されており、取付孔１１の周縁部に被取付板１０の一方面（例えば、バンパーの外側となる面）側より係止可能に構成されている。また、取付孔係止部２２の中央部には、カメラ装置３０の撮像面３９を挿入配置可能な孔部２２ｈが形成されている。カメラ装置３０の撮像面３９は、該孔部２２ｈを通じて外部に臨んで外部景色を撮像する。
【００３１】
外嵌筒部２４は、前記孔部２２ｈの周縁部から被取付板１０の一方面側に向けて突出する略円筒状に形成されている。この外嵌筒部２４は、カメラ装置３０の内嵌外周部分３２に外嵌め可能に形成されている。
【００３２】
また、この外嵌筒部２４の内周部に、少なくとも一つの係合凸部２６が形成されており、この係合凸部２６は、後述する被係合凹部３３に係合可能に構成されている。本実施形態では、外嵌筒部２４の内周部に、その周方向に沿って略均等間隔で４つの係合凸部２６が形成されており、各係合凸部２６は、略直方体の突起状に形成されている。係合凸部２６の数は２〜４個程度が好ましい。
【００３３】
回り止部２８は、上記取付孔１１に回り止状態で嵌め込み可能な凸状に形成されている。ここでは、回り止部２８は、外嵌筒部２４の基端側外周部に突出形成された凸状部分であり、上記取付孔１１に対応する形状、即ち、エスカッション部材２０の背面側から見て、略方形状の４隅を斜めに切除した形状に形成されている（図３参照）。
【００３４】
カメラ装置３０は、略方形板状のカメラ基板部３５の一方面側に、略円柱状のカメラ本体部３１が突出形成された形状を有しており、この内部の適宜位置に、レンズやＣＣＤ素子、所定の撮像回路等が内蔵されている。
【００３５】
また、カメラ本体部３１の外周部は、円柱周面状の内嵌外周部分３２とされ、上記外嵌筒部２４内に内嵌め可能に形成されている。
【００３６】
この内嵌外周部分３２には、上記係合凸部２６を係合可能な被係合凹部３３が形成されている。ここでは、上記４つの係合凸部２６に対応して、内嵌外周部分３２の周方向に沿って略均等間隔で４つの被係合凹部３３が形成されている。
【００３７】
被係合凹部３３は、上記外嵌筒部２４を内嵌外周部分３２に外嵌めした状態で、エスカッション部材２０とカメラ装置３０とを相対的に所定方向に回転させることにより、上記係合凸部２６と係合し、また、逆方向に回転させることにより、係合凸部２６との係合が解除されるように構成されている。
【００３８】
より具体的には、被係合凹部３３は、挿通溝部３３ａと係合溝部３３ｂとが略Ｌ字状に連設された溝状に形成されている。
【００３９】
挿通溝部３３ａは、内嵌外周部分３２の軸方向に沿って延びる溝状に形成されており、その一端側は、カメラ本体部３１の前方側（エスカッション部材２０側）に開口している。上記係合凸部２６は、挿通溝部３３ａ内を内嵌外周部分３２の軸方向に沿って移動可能とされている。
【００４０】
また、係合溝部３３ｂは、上記挿通溝部３３ａの他端側から、内嵌外周部分３２の周方向に沿って延びる溝状に形成されている。上記係合凸部２６は、係合溝部３３ｂ内を内嵌外周部分３２の周方向に沿って移動可能とされている。
【００４１】
また、この係合溝部３３ｂの先端部には、カメラ本体部３１の前方側（エスカッション部材２０側）に凹む嵌込凹部３３ｃが形成されている。この嵌込凹部３３ｃは、係合凸部２６が嵌まり込み可能な凹形状に形成されている。
【００４２】
そして、各係合凸部２６を各挿通溝部３３ａ内に挿入しつつ、外嵌筒部２４を内嵌外周部分３２に外嵌めし、この後、カメラ装置３０とエスカッション部材２０とを相対的に接近移動させると、各係合凸部２６が各挿通溝部３３ａの他端側奥部に達する。この状態で、カメラ装置３０とエスカッション部材２０とを相対的に所定方向に回転させると、各係合凸部２６は各係合溝部３３ｂ内を移動してその先端側に達する。この後、カメラ装置３０とエスカッション部材２０とを相対的に離間移動させると、各係合凸部２６が各嵌込凹部３３ｃに嵌め込まれるようにして係合溝部３３ｂ（嵌込凹部３３ｃ）に係合するようになる（図１の一点鎖線参照）。
【００４３】
また、この状態から、カメラ装置３０とエスカッション部材２０とを相対的に接近移動させて、各係合凸部２６と各嵌込凹部３３ｃとの嵌込み係合を解除させた状態で、カメラ装置３０とエスカッション部材２０とを前記所定方向とは逆方向に相対的に回転移動させると、各係合凸部２６が各係合溝部３３ｂ内を移動して、各挿通溝部３３ａ側に達する。この状態で、カメラ装置３０とエスカッション部材２０とを相対的に離間移動させることで、カメラ装置３０とエスカッション部材２０とが分離する。
【００４４】
また、カメラ基板部３５の両側部には、リテーナ部材４０を保持するための付勢部材保持部材としてリテーナ保持凸部３６が形成されている。
【００４５】
リテーナ部材４０は、鋼材や樹脂等の弾性材料により形成されて、カメラ装置３０を被取付板１０の他方面から側離間する方向に付勢する付勢部材であり、基板部４２とこの基板部４２の４隅に形成された付勢脚部４６とを備えている。
【００４６】
基板部４２は、略方形板状部材の４隅を入隅状に切除した形状であってカメラ基板部３５に対応する広がりを持つ板状に形成されており、その略中央部にカメラ装置３０を挿入可能な孔部４２ｈが形成されている。
【００４７】
そして、カメラ装置３０を孔部４２ｈ内に挿入配置しつつ、基板部４２をカメラ基板部３５の一方面に密着させるように配設可能に構成されている。
【００４８】
また、基板部４２の外周部には、カメラ基板部３５の４側面に当接可能な４つの位置決め片４４が屈曲形成されている。このうち両側部の位置決め片４４には、上記リテーナ保持凸部３６が係合可能な保持用孔部４４ａが形成されている。
【００４９】
そして、基板部４２をカメラ基板部３５の一方面に密着させるように配設した状態で、各位置決め片４４をカメラ基板部３５の各側面に当接させることで、基板部４２とカメラ基板部３５との面方向における位置決めが図られる。また、リテーナ保持凸部３６が保持用孔部４４ａに係合することで、カメラ装置３０からのリテーナ部材４０の脱落防止が図られる。
【００５０】
なお、カメラ装置３０がリテーナ部材４０を保持する構成は、上記のものに限られず、例えば、カメラ本体部３１の基端側外周部に、付勢部材保持部材として基板部４２の孔部４２ｈ周縁部に係合する突起が形成された構成であってもよいし、また、カメラ装置３０側に付勢部材保持部材としての保持用凹部が形成され、リテーナ部材４０側の保持用突起が当該保持用凹部に係合するものであってもよい。
【００５１】
また、各付勢脚部４６は、基板部４２の４隅の入隅部分からその一方面側に向けて外向きに徐々に広がるようにして延設されており、その各付勢脚部４６の先端部は、さらに、外方に向けて屈曲されている。
【００５２】
そして、基板部４２をカメラ本体部３１の一方面側に配設した状態で、各付勢脚部４６をカメラ本体部３１の外側に広げるように弾性変形させつつ、各付勢脚部４６の先端部をカメラ本体部３１の外側で被取付板１０の他方面に当接させると、各付勢脚部４６が原形に復帰しようとする弾性力により、カメラ装置３０が被取付板１０から離間する方向に付勢されることになる。
【００５３】
このように構成されたカメラ取付部構造の組立手順（カメラ装置の取付作業）について説明する。
【００５４】
まず、リテーナ保持凸部３６を保持用孔部４４ａに係合させて、カメラ装置３０のカメラ基板部３５の一方面側に、リテーナ部材４０の基板部４２を取付けておく。
【００５５】
そして、エスカッション部材２０の外嵌筒部２４及び回り止部２８を、被取付板１０の一方面側から取付孔１１内に挿入し、外嵌筒部２４を被取付板１０の他方面側に突出させると共に、回り止部２８を取付孔１１内に嵌め込む。
【００５６】
続いて、外嵌筒部２４の内周部の各係合凸部２６をカメラ本体部３１側に形成された被係合凹部３３の各挿通溝部３３ａ内に挿入しつつ、内嵌外周部分３２を外嵌筒部２４内に内嵌めするように、カメラ装置３０とエスカッション部材２０とを接近移動させる。この際、各付勢脚部４６の先端部が、被取付板１０の他方面に当接するので、この付勢脚部４６の弾性力に抗してカメラ装置３０を押込む。
【００５７】
すると、各係合凸部２６が各挿通溝部３３ａの他端側奥部に達するので、この状態で、カメラ装置３０をエスカッション部材２０に対して相対的に所定方向に回転させる。これにより、各係合凸部２６は、外嵌筒部２４の周方向に沿って各係合溝部３３ｂ内を移動してその先端側に達する。
【００５８】
この後、カメラ装置３０を押込む力を解除すると、リテーナ部材４０の付勢力によって、カメラ装置３０がエスカッション部材２０から離間する方向に移動し、各係合凸部２６が各嵌込凹部３３ｃに嵌め込まれるようにして係合溝部３３ｂに係合するようになる。
【００５９】
この取付状態では、取付孔係止部２２が取付孔１１の周縁部に被取付板１０の一方面側より係止した状態で、各付勢脚部４６により、カメラ装置３０が被取付板１０の他方面側から離間する方向に付勢されることとなる。
【００６０】
これにより、カメラ装置３０の取付作業が終了する。
【００６１】
なお、この状態では、各係合凸部２６が各嵌込凹部３３ｃに嵌め込まれているため、カメラ装置３０とエスカッション部材２０との相対的な回転が防止され、これにより、カメラ装置３０の脱落が防止される。
【００６２】
また、カメラ取付部構造の分解手順（カメラ装置の取外し作業）は、次のようにして行う。
【００６３】
まず、リテーナ部材４０の付勢力に抗してカメラ装置３０をリテーナ部材４０側に押込み、もって各係合凸部２６と各嵌込凹部３３ｃとの嵌込み係合を解除した状態で、カメラ装置３０を上記所定方向とは逆方向に回転させる。これにより、各係合凸部２６が各係合溝部３３ｂ内を移動して、各挿通溝部３３ａ側に達する。
【００６４】
この状態で、カメラ装置３０をエスカッション部材２０から離間する方向に引抜くと、カメラ装置３０とエスカッション部材２０とが分離する。これにより、カメラ装置３０を被取付板１０から取外すことができる。
【００６５】
以上のように構成されたカメラ取付部構造によると、エスカッション部材２０の取付孔係止部２２を取付孔１１の周縁部に係止させると共に、エスカッション部材２０の各係合凸部２６を各被係合凹部３３に係合させることで、カメラ装置３０を取付けることができるため、比較的少ない部品で容易に取付作業を行うことができる。
【００６６】
特に、リテーナ部材４０によりカメラ装置３０が被取付板１０の他方面側から離間する方向に付勢されているため、該カメラ装置３０をがたつきなく取付けることができる。
【００６７】
しかも、取付作業を行う際に、カメラ装置３０のカメラ本体部３１を取付孔１１に挿通させる必要はないので、取付孔１１を該カメラ本体部３１が通過できない程度の比較的小さな大きさに形成することができ、また、これに合わせて、エスカッション部材２０の取付孔係止部２２を比較的小さくすることができる。従って、外観上視認される構成部分のコンパクト化を図ることができる。
【００６８】
さらに、エスカッション部材２０とカメラ装置３０との相対的な回転に応じて、各係合凸部２６と各被係合凹部３３とを係合させ或は係合解除させることができるため、取外し作業を容易に行える。また、かかる取外し作業を、各構成部品を変形、破壊させることなく実施できるので、各構成部品を全て再利用できるという利点もある。
【００６９】
この場合において、特に、エスカッション部材２０の外嵌筒部２４の内周部に各係合凸部２６が形成されると共に、カメラ装置３０の内嵌外周部分３２に各被係合凹部３３が形成され、外嵌筒部２４を内嵌外周部分３２に外嵌めした状態で、エスカッション部材２０とカメラ装置３０とを相対的に回転させることで、各係合凸部２６と各被係合凹部３３との係合又はその係合解除が行われるため、それらの係合及び係合解除作業を正確かつ容易に行える。
【００７０】
またさらに、被係合凹部３３が挿通溝部３３ａと係合溝部３３ｂとが略Ｌ字状に連設された溝状に形成されると共に、その先端部に嵌込凹部３３ｃが形成されており、係合凸部２６が嵌込凹部３３ｃに嵌まり込むと共に、この嵌まり込み状態がリテーナ部材４０の付勢力により保持されるため、係合凸部２６と被係合凹部３３との係合状態がより確実に保持される。
【００７１】
また、これらの各係合凸部２６と各被係合凹部３３とは、それらの弾性変形等を利用せずに係合する構成であるため、各係合凸部２６と各被係合凹部３３とを厚肉化等することができ、構成部品を丈夫にすることができる。
【００７２】
また、エスカッション部材２０に、取付孔１１に回り止状態で嵌め込まれる回り止部２８が設けられているため、エスカッション部材２０の回転を防止できる。
【００７３】
さらに、カメラ装置３０に、リテーナ部材４０を保持するリテーナ保持凸部３６が形成され、このリテーナ保持凸部３６がリテーナ部材４０側の保持用孔部４４ａに係合するため、カメラ装置の取付作業中等において、カメラ装置３０からのリテーナ部材４０の脱落防止を図ることができる。
【００７４】
なお、本実施形態では、エスカッション部材２０側に外嵌筒部２４を形成してこの内周部に係合凸部２６を形成すると共に、カメラ装置３０側の内嵌外周部分３２に被係合凹部３３を形成しているが、外嵌筒部２４側に上記被係合凹部３３と同様の被係合凹部を形成すると共に、内嵌外周部分３２側に係合凸部２６と同様の係合凸部を形成してもよい。また、エスカッション部材２０側に円柱周面状の内嵌外周部分を形成すると共に、カメラ装置３０側にその内嵌外周部分に外嵌め可能な外嵌筒部を形成するようにしてもよい。
【００７５】
図５及び図６は、付勢部材に係る変形例を示す図である。
【００７６】
この変形例では、上記リテーナ部材４０に代えて、波形座金４０Ｂ（ウェーブワッシャー）を用いている。
【００７７】
この波形座金４０Ｂは、カメラ本体部３１を挿通可能な円環状の薄板に波形をつけた座金である。そして、この波形座金４０Ｂをカメラ本体部３１に外嵌めした状態で、上記実施形態と同様にしてカメラ装置３０の取付を行うと、本波形座金４０Ｂがカメラ基板部３５の一方面と被取付板１０の他方面との間に弾性圧縮状に介在して、カメラ装置３０を被取付板１０の他方面から離間する方向に付勢し、上記リテーナ部材４０と同様の機能を果す。
【００７８】
このような波形座金４０Ｂは、所定の金属板を打抜き及び屈曲加工することで形成できるため、低コスト化を図ることができる。
【００７９】
また、図７は、被係合凹部３３の嵌込凹部３３ｃに係る変形例を示す図である。
【００８０】
同図に示すように、嵌込凹部３３ｃに対応する嵌込凹部３３Ｃｃは、その先端側から基端側（係合溝部３３ｂ側）に向けて、順次幅寸法が大きくなる凹形状に形成されている。
【００８１】
これにより、係合溝部３３ｂの先端部に達した係合凸部２６が、嵌込凹部３３Ｃｃ内に円滑に嵌まり込むようになっている。
【図面の簡単な説明】
【００８２】
【図１】この発明の実施形態に係るカメラ取付部構造を示す分解斜視図である。
【図２】同上のカメラ取付部構造を示す一部破断斜視図である。
【図３】同上のカメラ取付部構造を他の方向からみた分解斜視図である。
【図４】同上のカメラ取付部構造をバンパーに取付けた状態を示す一部断面側面図である。
【図５】付勢部材に係る変形例を示す斜視図である。
【図６】付勢部材に係る変形例を示す側面図である。
【図７】被係合凹部の嵌込凹部に係る変形例を示す側面図である。
【符号の説明】
【００８３】
１０  被取付板
１１  取付孔
２０  エスカッション部材
２２  取付孔係止部
２４  外嵌筒部
２６  係合凸部
２８  回り止部
３０  カメラ装置
３１  カメラ本体部
３２  内嵌外周部分
３３  被係合凹部
３３ａ  挿通溝部
３３ｂ  係合溝部
３３ｃ  嵌込凹部
３６  リテーナ保持凸部
４０  リテーナ部材
４０Ｂ  波形座金
４６  付勢脚部
【図１】
2005193842.tif 000003
【図２】
2005193842.tif 000004
【図３】
2005193842.tif 000005
【図４】
2005193842.tif 000006
【図５】
2005193842.tif 000007
【図６】
2005193842.tif 000008
【図７】
2005193842.tif 000009